(57)【要約】【課題】台間球貸し機から球皿に供給される貸し球のこぼれを確実に防止できるパチンコ機。【解決手段】パチンコ機前面の下部側に設けられた球皿２６の上方に、台間球貸し機のノズル４６と対応させて球受け部材４８を配置し、球受け部材４８の後壁面４８Ｂには開口５２を形成して球通路部材５０の一端部を接続し連通させる。球通路部材５０の他端部下面には排出口５４を形成して、球皿２６の皿部４５と連通された貯球タンク４０上面の開口５６上方に配置する。台間球貸し機のノズル４６から排出された貸し球は、球皿２６よりもノズル４６に接近して配置された球受け部材４８にこぼれなく確実に収容され、収容後は、球通路部材５０の内部を通って貯球タンク４０に送られ球皿２６の皿部４５へと供給される。【選択図】　　　　図４
2004065522.tif 000002
【特許請求の範囲】
【請求項１】
パチンコ機本体の前面に設けられ貸し球及び賞球を貯える球皿と、
前記パチンコ機本体の前面に前記球皿よりも上方に設けられ、前記貸し球が排出される球貸し機排出部から落下された貸し球を受け入れる球受け部と、
前記球受け部に受け入れられた貸し球を前記球皿へ誘導する球誘導通路と、
を有することを特徴とするパチンコ機。
【請求項２】
パチンコ機本体の前面に設けられ貸し球及び賞球を貯える球皿と、
前記パチンコ機本体の前面に前記球皿よりも上方に設けられ、前記貸し球が排出される球貸し機排出部から落下された貸し球を受け入れる球受け部と、
前記球受け部に受け入れられた貸し球を前記球皿と連通された賞球貯球部へ誘導する球誘導通路と、
を有することを特徴とするパチンコ機。
【請求項３】
前記球誘導通路は、前記パチンコ機本体の内部に設けられていることを特徴とする請求項１又は請求項２記載のパチンコ機。
【請求項４】
前記球受け部及び前記球誘導通路の少なくとも一方に、前記貸し球に接して貸し球に蓄積された静電気を除電する導電性部材が設けられていることを特徴とする請求項１〜請求項３の何れか１項記載のパチンコ機。
【発明の詳細な説明】
【０００１】
【発明の属する技術分野】
本発明は、パチンコ機に係り、詳しくは、貸し球が球貸し機から球皿へ供給されるパチンコ機に関する。
【０００２】
【従来の技術】
近年のパチンコ機では、表示器やセンター役物等の大型化による遊技領域の拡大に伴い、打球供給皿（球皿）の位置を下げている機種がある。その場合、台間球貸し機から球皿に供給される貸し球の落下距離が長くなり、貸し球が跳ね上がって球皿からこぼれやすくなるため、球皿の貸し球落下部を広げたり、貸し球落下部にゴムシート等の緩衝部材を貼り付けるなどして球こぼれを防いでいる。
【０００３】
【発明が解決しようとする課題】
しかしながら、上述した球皿を広くする場合は、球こぼれに対しては有利であるが、貸し球の落下衝撃は緩和されないため、球皿が破損する恐れがある。また、球皿に緩衝部材を設ける場合は、見栄えが悪くなるとともに緩衝部材の劣化による耐久性や剥がれの問題がある。
【０００４】
本発明は上記事実を考慮して、台間球貸し機から球皿に供給される貸し球のこぼれを確実に防ぐとともに、球皿の破損防止と美観の向上を図ったパチンコ機を提供することを課題とする。
【０００５】
【課題を解決するための手段】
上記目的を達成するために請求項１に記載の発明は、パチンコ機本体の前面に設けられ貸し球及び賞球を貯える球皿と、前記パチンコ機本体の前面に前記球皿よりも上方に設けられ、前記貸し球が排出される球貸し機排出部から落下された貸し球を受け入れる球受け部と、前記球受け部に受け入れられた貸し球を前記球皿へ誘導する球誘導通路と、を有することを特徴としている。
【０００６】
請求項１に記載の発明では、貸し球と賞球がパチンコ機本体の前面に設けられた球皿に貯えられ、球皿から打球発射装置等に供給されて遊技盤等へ発射される。この貸し球を借り受ける際に、貸し球が球貸し機排出部から落下供給されると、球皿よりも上方に位置してパチンコ機本体の前面に設けられた球受け部に落下されてその球受け部に受け入れられ、球誘導通路を通って球皿へ誘導される。これにより、球皿と球貸し機排出部との距離が長くされても、球皿より球貸し機排出部に接近して配置された球受け部に、貸し球がこぼれなく確実に収容される。また、貸し球は球皿に直接落下されないため球皿の破損も防がれる。
【０００７】
請求項２に記載の発明は、請求項１記載のパチンコ機において、パチンコ機本体の前面に設けられ貸し球及び賞球を貯える球皿と、前記パチンコ機本体の前面に前記球皿よりも上方に設けられ、前記貸し球が排出される球貸し機排出部から落下された貸し球を受け入れる球受け部と、前記球受け部に受け入れられた貸し球を前記球皿と連通された賞球貯球部へ誘導する球誘導通路とを有することを特徴としている。
【０００８】
請求項２に記載の発明では、貸し球が球貸し機排出部から落下供給されると、球皿よりも上方に位置してパチンコ機本体の前面に設けられた球受け部に落下されてその球受け部に受け入れられ、球誘導通路を通って賞球貯球部へ誘導される。この賞球貯球部は、例えば、賞球払出装置等から賞球が払い出されるパチンコ機本体内に設けられた貯球タンク等であり、貸し球は、この賞球貯球部を経由して球皿へ供給される。
【０００９】
このように、貸し球を賞球貯球部を経由して球皿へ供給する場合でも、球貸し機排出部から落下された貸し球を、球皿より球貸し機排出部に接近して配置した球受け部によりこぼれなく確実に受け取り、球皿に供給することができる。
【００１０】
請求項３に記載の発明は、請求項１又は請求項２記載のパチンコ機において、前記球誘導通路は、前記パチンコ機本体の内部に設けられていることを特徴としている。
【００１１】
請求項３に記載の発明では、球受け部に受け入れられた貸し球は、パチンコ機本体の内部に設けられた球誘導通路に誘導されて、球皿又は賞球貯球部へ送られる。このように、球誘導通路をパチンコ機本体の内部に設けることにより、パチンコ機本体前面の突出部分が少なくされて、美観が良好となる。
【００１２】
請求項４に記載の発明は、請求項１〜請求項３の何れか１項記載のパチンコ機において、前記球受け部及び前記球誘導通路の少なくとも一方に、前記貸し球に接して貸し球に蓄積された静電気を除電する導電性部材が設けられていることを特徴とする。
【００１３】
請求項４に記載の発明では、貸し球が、球受け部、球誘導通路を通過するときに、金属や導電性樹脂等からなる導電性部材に接して貸し球自身に蓄積された静電気が取り除かれる。これにより、樹脂製部材との摩擦等により帯電される貸し球の静電気除去効果が高められる。
【００１４】
【発明の実施の形態】
以下、図面を参照して本発明の実施の形態について説明する。
【００１５】
［第１の実施形態］
図１〜図３には、第１の実施形態に係るパチンコ機が示されている。図１に示すように、パチンコホールのパチンコ機隣接設置部である所謂「島」では、パチンコ機１０の左側にそのパチンコ機１０に対応する台間球貸し機１２が配置され、それらパチンコ機１０と台間球貸し機１２とは交互に配列されて設置されている。
【００１６】
パチンコ機１０は、パチンコ機１０の外郭部を構成してパチンコホールの島に固定される矩形状の外枠１４を備えている。外枠１４の前面には矩形額縁状の内枠１６が配置されており（図３参照）、内枠１６は、外枠１４の左側端部に設けられたヒンジ１８Ａ、１８Ｂに左側端部が軸支されて、外枠１４に開閉可能に取り付けられている。
【００１７】
内枠１６の上部には、ガラス板２０を装着したガラス枠（前枠）２２が、ヒンジ１８Ａ及び内枠１６の左側端部に設けられたヒンジ１８Ｃに軸支されて開閉可能に取付けられており、このガラス枠２２と内枠１６とは、内枠１６の右側端部に設けられた施錠装置（シリンダ錠）２４により施錠されるようになっている。内枠１６の下部には、遊技者側となる前方へ突出された球皿２６（図２参照）を備える一体皿ユニット２８が、ヒンジ１８Ｂ及び内枠１６のヒンジ１８Ｃに軸支されて開閉可能に取付けられている。
【００１８】
球皿２６の前面には、台間球貸し機１２から遊技球（以下、適宜「貸し球」という）を借り受けるための球貸ボタン２９と、台間球貸し機１２に挿入した球貸用カードを取り出すための返却ボタン３０とが設けられている。一体皿ユニット２８前面の左側端部には灰皿３１が設けられており、右側端部には、打球の飛距離を調整するための発射ハンドル３２と、発射ハンドル３２を操作したままの状態で打球発射を一時的に停止する発射停止ボタン３４とが設けられている。
【００１９】
また、本実施形態のパチンコ機１０では、上述した内枠１６、ガラス枠２２、及び一体皿ユニット２８によってパチンコ機本体１１が構成されている。
【００２０】
図３に示すように、内枠１６の前面上部には、交換可能とされた遊技盤３６がセットされて取り付けられている。内枠１６の前面下部には、遊技盤３６の左下に発射装置３８が配置され、球皿２６の後方に位置して貯球タンク４０が取り付けられている。
【００２１】
発射装置３８には、球皿２６に貯められた遊技球が球送り装置（図示省略）により一球づつ供給され、その遊技球４２は、遊技者による発射ハンドル３２の操作により発射装置３８から上方へ発射されて（図３の矢印Ａ方向）遊技盤３６の盤面（遊技領域）３６Ａに打ち込まれる。このように、発射装置を遊技盤の左下に配置する機種では、発射装置を遊技盤右下に配置する機種の遊技盤下方に設けられていた、打球を左上（遊技盤側）へと案内する発射レール等が不要となる。そのため、本実施形態のパチンコ機１０では、遊技盤３６の盤面に設ける遊技領域を下方に拡大させて遊技性の向上を図っており、それに伴って、球皿２６の位置を下げている。
【００２２】
貯球タンク４０は、導電樹脂材料により内部を空洞とした薄型箱状に形成されており、図示しない金属板バネに接触されてその金属板バネを介してパチンコ機本体１１（内枠１６）にアース接続されている。また、タンク底面は右側にかけて緩やかに下り傾斜している。下り傾斜端側である前面右側端部には排出口４４が形成されており、タンク内部はその排出口４４を通して球皿２６の皿部４５（図１参照）と連通している。
【００２３】
この貯球タンク４０には、内枠１６の裏面側に設けられた賞球払出装置（図示省略）からタンク内に遊技球（以下、適宜「賞球」という）が払い出されるようになっている。払い出された賞球は、タンク底面上を傾斜下方へ転動して排出口４４から球皿２６の皿部４５に排出され、大当たり等で球皿２６の皿部４５が満杯になった際は、皿部４５に貯え切れなくなった分がタンク内に貯球されるようになる。
【００２４】
また、図１及び図２に示すように、本実施形態のパチンコ機１０は、ガラス枠２２前面の左下隅近傍で台間球貸し機１２のノズル４６と対応する位置に、ノズル４６から排出される貸し球を受け入れる球受け部材４８が設けられており、ガラス枠２２の裏面には、球受け部材４８と連通した球通路部材５０が設けられている。以下、それら球受け部材４８と球通路部材５０について詳細に説明する。
【００２５】
図４に示すように、球受け部材４８は、球皿２６の上方で、且つ、皿部４５よりも左側に位置してガラス枠２２の前面に固着されており、ノズル４６との上下距離が皿部４５よりも短くされている（図１のＨ１寸法＞Ｈ２寸法）。この球受け部材４８は、平面視が略台形状で（図１（Ａ）参照）上面が開口した箱状とされており、底面４８Ａは右側及び後側にかけて下り傾斜している。後壁面４８Ｂの右側端部には、ガラス枠２２を介して球通路部材５０に連通する矩形状の開口５２が形成されている。
【００２６】
球通路部材５０は、断面矩形の角パイプ状とされてガラス枠２２の裏面に一体的に設けられており、通路入口となる開口５２から少し後側に入った位置で右側に屈曲し、その屈曲部から右斜め下方へ延出した形状とされている。延出側先端部の下面には、通路出口となる排出口５４が形成されて、排出口５４は、貯球タンク４０の上面４０Ａに形成されたＬ字型の開口５６の上方に位置している。また、排出口５４の後方には、賞球払出装置から払い出された賞球（図４の矢印Ｂ）を貯球タンク４０の開口５６に案内する賞球払出通路５８が配置されている。
【００２７】
次に、本実施形態の作用について説明する。
【００２８】
パチンコ機１０による遊技において、遊技者が台間球貸し機１２に球貸用カードを挿入し球貸ボタン２９を押圧操作すると、台間球貸し機１２のノズル４６から所定数の貸し球が排出されて（図４の矢印Ｃ）、球受け部材４８に落下する。球受け部材４８は、ノズル４６のほぼ真下に位置して球皿２６の皿部４５よりもノズル４６に近接配置されているため、落下した貸し球は、さほど跳ねずに球受け部材４８に収容される。
【００２９】
球受け部材４８に収容された貸し球は、球受け部材４８の底面４８Ａ上をその下り傾斜方向に転動して開口５２へと案内され、開口５２から球通路部材５０内に入る。さらに、球通路部材５０内をその下り傾斜方向に転がって排出口５４から貯球タンク４０に排出される（図４の矢印Ｄ）。そして、賞球と同様に、貯球タンク４０内を通って排出口４４から球皿２６の皿部４５へと供給される。またここでは、貸し球がアース接続された貯球タンク４０を通過する際に、貸し球自身に蓄積された静電気が貯球タンク４０に接して取り除かれる。
【００３０】
以上説明したように、本実施の形態に係るパチンコ機１０では、台間球貸し機１２のノズル４６から落下供給された貸し球が、球皿２６よりも上方に配置された球受け部材４８にこぼれなく確実に収容されて、球皿２６の皿部４５へと供給される。また、球皿２６は貸し球の落下衝撃を受けないため、位置を下げても破損することはない。さらに、従来用いたゴムシート等の緩衝部材も不要となって美観もよくなる。
【００３１】
また、本実施の形態では、貸し球を誘導する球通路部材５０をパチンコ機本体１１の内部（ガラス枠２２の裏面）に設けたことにより、パチンコ機本体１１前面の突出部分が少なくされて美観が良好となる。
【００３２】
［第２の実施形態］
次に、本発明の第２の実施形態について説明する。この第２の実施形態は、球通路排出口の位置を変更したものであるが、上記第１の実施形態で説明した構成とほぼ同じであるため、同一構成については同じ符合を付してその説明を省略する。
【００３３】
図５に示すように、ガラス枠２２の裏面に一体的に設けられている球通路部材６０は、右斜め下方へ延出された傾斜側先端部が前方へ屈曲しており、その屈曲部６２の下面に、通路出口となる排出口６４が形成されている。一体皿ユニット２８の上縁には、排出口６４と対応する位置（皿部４５の後壁面４５Ａ上部）に、球誘導通路の一部を構成する切り欠き６６が形成されている。切り欠き６６は、排出口６４の左右方向幅寸法と略同幅寸法とされ、底面の前側が下方へ傾斜している。また、切り欠き６６の底面には、図示しない配線によりパチンコ機本体１１（一体皿ユニット２８）とアース接続された金属製（ステンレス合金等）のプレート６８が固着されている。
【００３４】
これにより、球受け部材４８に収容されて球通路部材６０内に入った貸し球が、球通路部材６０の排出口６４から排出されると（図５の矢印Ｅ）、その貸し球は、切り欠き６６に設けられたプレート６８上に落下して、プレート６８の下り傾斜側である前方へ転がり球皿２６の皿部４５に入る（図５の矢印Ｆ）。したがって、台間球貸し機１２から排出され球受け部材４８で受けた貸し球を、直接、球皿２６に供給することができる。またここでは、貸し球が切り欠き６６を通過するときに、プレート６８に接して貸し球自身に蓄積された静電気が取り除かれる。これにより、樹脂製部材との摩擦等により帯電される貸し球の静電気除去効果が高められる。
【００３５】
［第３の実施形態］
次に、本発明の第３の実施形態について説明する。この第３の実施形態は、球受け部材及び球通路部材の形状を変更したものであるが、第１の実施形態で説明した構成と同一構成については同じ符合を付してその説明を省略する。
【００３６】
図６及び図７には、第３の実施形態に係るパチンコ機が示されており、図８には、そのパチンコ機に設けられた一体的な球案内部材が示されている。
【００３７】
図示のように、本実施形態の球案内部材７０は、球受け部７２及び球受け部７２に一体化された球通路部７４を備えており、全体が平面視略ひし形とされて上面部分を開口した箱状に形成されている。この球案内部材７０は、第１及び第２実施形態の球受け部材と同様、球皿２６の上方に位置してガラス枠２２前面の左下隅部近傍に固着されている。
【００３８】
球案内部材７０の球受け部７２は、台間球貸し機１２のノズル４６の下方に配置されて、底面が右側に少し下り傾斜している。その球受け部７２の底面には、図示しない配線によりパチンコ機本体１１（ガラス枠２２）とアース接続された金属製のプレート７６が埋設されている。
【００３９】
球通路部７４は、球受け部７２の下り傾斜端部（右側端部）に繋がれて右側に延出しており、延出側先端部が皿部４５の左内壁面４５Ｂよりも少し右側に位置している。また、球通路部７４の底面は、球受け部７２の底面よりも下り傾斜角度が少し大きくされている。
【００４０】
これにより、台間球貸し機１２のノズル４６から排出された貸し球は（図８の矢印Ｃ）、球案内部材７０の球受け部７２に落下されて球受け部７２に収容される。ここでも、球受け部７２はノズル４６のほぼ真下に位置して球皿２６の皿部４５よりもノズル４６に近接配置されているため（図６のＨ１寸法＞Ｈ３寸法）、落下した貸し球は、殆ど跳ね上がることなく球受け部７２に収容される。球受け部７２に収容された貸し球は、プレート７６上を下り傾斜側である右側に転動して球通路部７４に移り（図８の矢印Ｇ）、さらに、球通路部７４を右側に転がって球通路部７４先端部から落下し、皿部４５に入る（図８の矢印Ｈ）。したがって、この第３の実施形態でも、台間球貸し機１２から排出され貸し球を球案内部材７０の球受け部７２に受け入れて、直接、球皿２６に供給することができる。
【００４１】
またここでは、貸し球に帯電した静電気が、球受け部７２に設けられたプレート７６に接することで取り除かれる。これにより、貸し球の静電気除去効果が高められている。
【００４２】
以上、本発明を上述した特定の実施形態により詳細に説明したが、本発明はそれに限定されるものではなく、本発明の範囲内にて他の種々の実施形態が可能である。
【００４３】
例えば、上述した全ての実施の形態において、球受け部材４８及び球案内部材７０はガラス枠２２に固着された構成で説明したが、着脱可能とすることもできる。その場合、第１、第２実施形態では、ガラス枠２２や一体皿ユニット２８の前面に形成した開口を蓋状部材等で塞ぐようにしてもよい。また、特に第３の実施形態については、球案内部材７０をガラス枠２２の前面に沿って上下左右方向等へ移動可能とする移動機構を設けたり、球案内部材７０をガラス枠２２の前面に対する略垂直線回りに回転可能とする回転機構を設けるなどして、球案内部材７０の位置や傾斜角度を調整できるようにしてもよい。
【００４４】
また、貸し球に蓄積された静電気を除電する導電性部材（プレート６８、７６）については、金属以外に、導電樹脂や導電ゴム等の材料を用いることもできる。ただし、耐久性の点では金属製とすることが好ましい。
【００４５】
また、本発明は、上皿と下皿を備えるパチンコ機に適用することもできる。
【００４６】
【発明の効果】
本発明のパチンコ機は上記構成としたので、台間球貸し機から球皿に供給される貸し球のこぼれが確実に防止されるとともに、球皿の破損防止と美観の向上が図られる。
【図面の簡単な説明】
【図１】本発明の第１の実施形態に係るパチンコ機を示した（Ａ）が平面図であり、（Ｂ）が正面図である。
【図２】本発明の第１の実施形態に係るパチンコを示した右側面図である。
【図３】本発明の第１の実施形態に係るパチンコ機の内部を示した正面図である。
【図４】本発明の第１の実施形態に係る球受け部材及び球通路を示した一部断面斜視図である。
【図５】本発明の第２の実施形態に係る球受け部材及び球通路を示した一部断面斜視図である。
【図６】本発明の第３の実施形態に係るパチンコ機を示した（Ａ）が平面図であり、（Ｂ）が正面図である。
【図７】本発明の第３の実施形態に係るパチンコを示した右側面図である。
【図８】本発明の第２の実施形態に係る球受け部材を示した一部断面斜視図である。
【符号の説明】
１０　　　　パチンコ機
１１　　　　パチンコ機本体
１２　　　　台間球貸し機（球貸し機）
２６　　　　球皿
２８　　　　一体皿ユニット
４０　　　　貯球タンク（賞球貯球部）
４６　　　　ノズル（球貸し機排出部）
４８　　　　球受け部材（球受け部）
５０　　　　球通路部材（球誘導通路）
６０　　　　球通路部材（球誘導通路）
６６　　　　切り欠き（球誘導通路）
６８　　　　プレート（導電性部材）
７０　　　　球案内部材
７２　　　　球受け部
７４　　　　球通路部（球誘導通路）
７６　　　　プレート（導電性部材）
【図１】
2004065522.tif 000003
【図２】
2004065522.tif 000004
【図３】
2004065522.tif 000005
【図４】
2004065522.tif 000006
【図５】
2004065522.tif 000007
【図６】
2004065522.tif 000008
【図７】
2004065522.tif 000009
【図８】
2004065522.tif 000010